(57)【要約】【課題】プロテクタとしての軽量化を図るとともに、ワイヤハーネスの配索に係る制約を軽減することのできるワイヤハーネス保護用樹脂パイプを提供する。【解決手段】車両のワイヤハーネスを収容する保護樹脂パイプ３０は、直径が１ナノメートル以上、かつ、１０００ナノメートル以下であるセルロースナノファイバが添加されているとともに、添加されているセルロースナノファイバの配向する方向のなかで支配的な方向が、樹脂パイプの延在方向である。【選択図】図４
2018011406.tif 000002
【特許請求の範囲】
【請求項１】
車両のワイヤハーネスを収容するワイヤハーネス保護用樹脂パイプであって、
前記樹脂パイプには直径が１ナノメートル以上、かつ、１０００ナノメートル以下であるセルロースナノファイバが添加されているとともに、前記添加されているセルロースナノファイバの配向する方向の中で支配的な方向が、前記樹脂パイプの延在方向である
ことを特徴とするワイヤハーネス保護用樹脂パイプ。
【請求項２】
前記樹脂パイプは、２つの半円筒状の部材が嵌め合わされてなり、前記２つの半円筒状の部材のうちの一方の半円筒状の部材が他方の半円筒状の部材に対して周方向に摺動可能である
請求項１に記載のワイヤハーネス保護用樹脂パイプ。
【請求項３】
前記樹脂パイプは、前記樹脂パイプの長さ方向と直交する断面において、外壁が周回するとともに、その周回方向の一方側の外壁の内面に同周回方向の他方側の外壁の外面が重なっている
請求項１に記載のワイヤハーネス保護用樹脂パイプ。
【請求項４】
前記樹脂パイプは、その表面に化学蒸着されたアルミニウムの蒸着膜を備える
請求項１〜３のいずれか一項に記載のワイヤハーネス保護用樹脂パイプ。
【請求項５】
前記樹脂パイプは、表裏両面に化学蒸着されたアルミニウムの蒸着膜を備える
請求項４に記載のワイヤハーネス保護用樹脂パイプ。
【請求項６】
前記セルロースナノファイバの添加量は、１０〜１５質量％である
請求項１〜５のいずれか一項に記載のワイヤハーネス保護用樹脂パイプ。
【請求項７】
前記樹脂パイプは、ワイヤハーネスを挿通させてから自動二輪車の外装として取り付けることができる形状に形成されている
請求項１〜６のいずれか一項に記載のワイヤハーネス保護用樹脂パイプ。
【発明の詳細な説明】
【技術分野】
【０００１】
本発明は、車両のワイヤハーネスを保護するワイヤハーネス保護用樹脂パイプに関する。
【背景技術】
【０００２】
従来、ワイヤハーネスを保護するプロテクタの一形態として、ワイヤハーネスを内部に挿通させて保護するパイプ状のプロテクタが知られている。パイプ状のプロテクタは、ハイブリッド自動車や電気自動車ではバッテリとインバータとの間やインバータとモータとの間を接続する複数本の動力用の電線（ワイヤハーネス）を挿通させる。よって、パイプ状のプロテクタは、車体床下の外部等を配索されるワイヤハーネスを配索経路中の角部や突起等への接触から保護する。例えば、こうしたプロテクタの一例が特許文献１に記載されている。
【０００３】
特許文献１に記載のプロテクタ（シールド）は、アルミニウム製の金属パイプからなり、この金属パイプに保護対象のワイヤハーネス（電線）を挿通させた状態で自動車の車体の床下に沿うように取り付けられている。
【先行技術文献】
【特許文献】
【０００４】
【特許文献１】特開２００６−３１２４０９号公報
【発明の概要】
【発明が解決しようとする課題】
【０００５】
上記特許文献１に記載のプロテクタによれば、高い強度を有する金属パイプに挿通されたワイヤハーネスが配索経路中の角部や突起等に対する接触から保護されるようになる。また、ワイヤハーネスが電磁遮蔽効果を発揮する金属パイプに挿通されることで、動力用の高圧電力に起因してワイヤハーネスから放射される強いノイズの漏洩が軽減されるようにもなる。
【０００６】
しかし、プロテクタとして、金属材料の中では軽量であるアルミニウム製の金属パイプを用いるにしても、車両軽量化の要求に対してその重量が無視できない。また、ワイヤハーネスが金属パイプに挿通されてから車体に配索されることから、ワイヤハーネスの配索に制約が生じるおそれもある。
【０００７】
本発明は、こうした実情に鑑みてなされたものであり、その目的は、プロテクタとしての軽量化を図るとともに、ワイヤハーネスの配索に係る制約を軽減することのできるワイヤハーネス保護用樹脂パイプを提供することにある。
【課題を解決するための手段】
【０００８】
上記課題を解決するワイヤハーネス保護用樹脂パイプは、車両のワイヤハーネスを収容するワイヤハーネス保護用樹脂パイプであって、前記樹脂パイプには直径が１ナノメートル以上、かつ、１０００ナノメートル以下であるセルロースナノファイバが添加されているとともに、前記添加されているセルロースナノファイバの配向する方向の中で支配的な方向が、前記樹脂パイプの延在方向であることを特徴とする。
【０００９】
上記構成によれば、樹脂やグラスファイバ、カーボンファイバよりも質量の小さいセルロースナノファイバが添加されることにより、ワイヤハーネス保護用樹脂パイプの軽量化が図られる。また、樹脂や鉄鋼よりも高強度のセルロースナノファイバが添加されることにより、激しい振動が避けられない自動車のワイヤハーネスの保護にも耐えられる強度が備えられる。とりわけ、セルロースナノファイバの配向方向の強度は高くなるから、樹脂パイプへの長さ方向に交差する方向へ加わる力に対してより一層の強化が図られるようになる。
【００１０】
また、金属パイプに比べて、樹脂パイプはその形状の自由度が高いため、ワイヤハーネスの配索に係る制約を軽減することができる。
これにより、プロテクタとしての軽量化を図るとともに、ワイヤハーネスの配索に係る制約を軽減することができるワイヤハーネス保護用樹脂パイプを提供することができる。
【００１１】
好ましい構成として、前記樹脂パイプは、２つの半円筒状の部材が嵌め合わされてなり、前記２つの半円筒状の部材のうちの一方の半円筒状の部材が他方の半円筒状の部材に対して周方向に摺動可能である。
【００１２】
上記構成によれば、嵌め合わせられている２つの半円筒状の部材を周方向に摺動させて樹脂パイプの側面を開口させ、この開口から樹脂パイプにワイヤハーネスを容易に挿通させることができる。これにより、両端が固定されていたり、加工されていたりするワイヤハーネスであれ、そのワイヤハーネスの周りに樹脂パイプを設置することができるようになる。例えば、自動車の組み立てにおいて、車体に取り付け済みのワイヤハーネスに対して樹脂パイプを取り付けることができて、当該ワイヤハーネスの保護が図られる。
【００１３】
また、セルロースナノファイバの配向が長さ方向であるため、配向方向ではない周方向には柔軟性が適度に維持され、嵌合される２つの半円筒状の部材の位置関係を維持可能であり、かつ、摺動可能である適度な弾性力が得られる。つまり、樹脂パイプは、高い強度を有しつつも、ワイヤハーネスの配索にかかる労力を極力抑えることができる。
【００１４】
好ましい構成として、前記樹脂パイプは、前記樹脂パイプの長さ方向と直交する断面において、外壁が周回するとともに、その周回方向の一方側の外壁の内面に同周回方向の他方側の外壁の外面が重なっている。
【００１５】
上記構成によれば、樹脂パイプは外壁が周回して一部が重なっている。よって、重なりを一時的に開くことで、樹脂パイプにワイヤハーネスを挿通させることができる。これにより、両端が固定されていたり、加工されていたりするワイヤハーネスであれ、そのワイヤハーネスの周りに樹脂パイプを設置することができるようになる。例えば、自動車の組み立てにおいて、車体に取り付け済みのワイヤハーネスに対して樹脂パイプを取り付けることができて、当該ワイヤハーネスの保護が図られる。
【００１６】
また、セルロースナノファイバの配向が長さ方向であるため、配向方向ではない周方向には柔軟性が適度に維持され、樹脂パイプの重なりを押し開くときに要する力が適度な弾性力に調整される。つまり、樹脂パイプは、高い強度を有しつつも、ワイヤハーネスの配索にかかる労力を極力抑えることができる。
【００１７】
好ましい構成として、前記樹脂パイプは、その表面に化学蒸着されたアルミニウムの蒸着膜を備える。
上記構成によれば、アルミニウムのコーティングによって電磁遮蔽効果が得られるようになる。これによっても、この樹脂パイプを金属パイプに変えて利用することもできるようになる。
【００１８】
また、化学蒸着であれば、自動車で生じる激しい振動にともなう角部や突起等への接触に対してもコーティングが維持される。
好ましい構成として、前記樹脂パイプは、表裏両面に化学蒸着されたアルミニウムの蒸着膜を備える。
【００１９】
上記構成によれば、樹脂パイプが外壁の周回で重なりを有しているものであったり、２つの半円筒状の部材の嵌め合わせたものであったりしても、周壁が重なる部分においてコーティングされた面同士が接触するようになり、樹脂パイプの周の切れ目においてもとして電磁遮蔽効果が維持されるようになる。
【００２０】
好ましい構成として、前記セルロースナノファイバの添加量は、１０〜１５質量％である。
上記構成によれば、セルロースナノファイバの添加されていない樹脂パイプに比べて、この樹脂パイプの強度を２〜４倍、熱変形量を２０％程度、質量を８〜１２％削減することができるようになる。
【００２１】
好ましい構成として、前記樹脂パイプは、ワイヤハーネスを挿通させてから自動二輪車の外装として取り付けることができる形状に形成されている。
上記構成によれば、この樹脂パイプは、従来の樹脂パイプの採用は困難であった、高い耐熱性、耐候性、強度が要求される自動二輪車の外装に用いることができる。また、軽量化が強く求められる自動二輪車において、ワイヤハーネス保護用樹脂パイプの軽量化を図ることができる。さらに、車体フレームが小型で配索が複雑になりがちな自動二輪車に対してワイヤハーネス保護用樹脂パイプの後付が可能となり、自動二輪車の製造工程にかかる手間を軽減させることができる。
【発明の効果】
【００２２】
このワイヤハーネス保護用樹脂パイプによれば、プロテクタとしての軽量化を図るとともに、ワイヤハーネスの配索に係る制約を軽減することができる。
【図面の簡単な説明】
【００２３】
【図１】ワイヤハーネス保護用樹脂パイプを具体化した一実施形態を車両に適用した例についてその概略構成を示すブロック図。
【図２】同実施形態における樹脂パイプの材料について模式的に示す図であって、（ａ）は樹脂材料について示す図、（ｂ）はセルロースナノファイバについて示す図。
【図３】同実施形態における樹脂パイプの材料について拡大して模式的に示す図。
【図４】同実施形態における樹脂パイプを模式的に示す図であって、（ａ）は正面図、（ｂ）は側面図。
【図５】ワイヤハーネス保護用樹脂パイプを具体化した他の実施形態における樹脂パイプを模式的に示す図であって、（ａ）は正面図、（ｂ）は側面図。
【発明を実施するための形態】
【００２４】
以下、図１〜図４を参照して、ワイヤハーネス保護用樹脂パイプを具体化した一実施形態について説明する。ワイヤハーネス保護用樹脂パイプは、電動の自動二輪車１に配索されるワイヤハーネスを保護するために保護対象のワイヤハーネスの周囲に設けられるものである。
【００２５】
図１を参照して、自動二輪車１は、図において左側が前方である。自動二輪車１は、車体２の前側に前輪３、後側に後輪４を備え、車体２の中央前側にステアリング５を備えている。前輪３は、電動モータ（Ｍ）１０によって回転駆動される。電動モータ１０は、ホイルインモータ等であり前輪３を駆動可能に同前輪３近傍に設けられている。電動モータ１０は、例えば３相交流電力により駆動される誘導モータである。
【００２６】
自動二輪車１は、電動モータ１０の電源である電池１１と、３相交流電力を生成して電動モータ１０を駆動する駆動制御装置（パワードライブユニット）１２とを備えている。電池１１は、リチウムイオン電池等からなる車載用の二次電池であって、例えば、直流の４８Ｖ〜１０８Ｖを出力する。駆動制御装置１２は、モータ制御部と、インバータとを備える。モータ制御部は、小型コンピュータを含んでおり、図示しないセンサーなどから得られた車速等の情報やアクセル操作、ブレーキ操作等に応じた必要トルクを算出し、算出さした必要トルクに対応する電力を電動モータ１０へ供給するようにインバータを制御する。インバータは、電池１１の直流電力から電動モータ１０を駆動する交流電力を生成する電力変換装置であり、モータ制御部からの指示に応じて、電動モータ１０の駆動に必要な３相交流電力を出力する。
【００２７】
自動二輪車１は、電池１１からの直流電力を駆動制御装置１２へ流す２つの配線Ｌ１１ｐ，Ｌ１１ｍと、電池１１と駆動制御装置１２とのグランドを電気的に接続するグランド線Ｅとが配索されている。２つの配線Ｌ１１ｐ，Ｌ１１ｍが第１のワイヤハーネスＬ１を構成する。また、自動二輪車１は、駆動制御装置１２からの３相交流電力を電動モータ１０へ流す３つの配線Ｌ１２Ｕ，Ｌ１２Ｖ，Ｌ１２Ｗと、駆動制御装置１２と電動モータ１０とのグランドを電気的に接続するグランド線Ｅとが配索されている。３つの配線Ｌ１２Ｕ，Ｌ１２Ｖ，Ｌ１２Ｗが第２のワイヤハーネスＬ２を構成する。第１のワイヤハーネスＬ１は、流れる電力量が変化することに応じてノイズを発生する。第２のワイヤハーネスＬ２は、３相交流電流が流れること、また、その大きさや周波数が駆動制御装置１２により変化されることからノイズを発生する。第１のワイヤハーネスＬ１は、駆動用の大電力を流し、第２のワイヤハーネスＬ２は、高圧の３相交流電流を流すことから、いずれも、信号線や通信線に比較して大きな電磁ノイズを発生させるため、ＥＭＣ（電磁環境両立性）対策が要求される。
【００２８】
また、図示しないが、自動二輪車１には、低圧の電力を利用するＥＣＵ（電子制御装置）、センサー類、通信線及び信号線等が多数配置されており、これらのＥＣＵや通信線等は第１のワイヤハーネスＬ１や第２のワイヤハーネスＬ２から放射されるノイズによる影響を受けるおそれがある。そこで、第１のワイヤハーネスＬ１や第２のワイヤハーネスＬ２は、ノイズの放射量を抑制するため、ワイヤハーネスの周囲にシールドが設けられている。つまり、第１のワイヤハーネスＬ１は、ワイヤハーネス保護用樹脂パイプとしての第１の保護パイプ２０に格納され、第２のワイヤハーネスＬ２は、ワイヤハーネス保護用樹脂パイプとしての第２の保護パイプ２１に格納されている。本実施形態では、第１の保護パイプ２０は、第１のワイヤハーネスＬ１を車両の振動により強くなる角部や突起等への接触から保護する機能、第１のワイヤハーネスＬ１からの放射ノイズを漏洩させないシールド機能を有している。第２の保護パイプ２１は、第２のワイヤハーネスＬ２を車両の振動により強くなる角部や突起等への接触から保護する機能、第２のワイヤハーネスＬ２からの放射ノイズを漏洩させないシールド機能を有している。なお、第１の保護パイプ２０と、第２の保護パイプ２１とはその構造が略同様であるので、以下では、第２の保護パイプ２１について詳細に説明し、説明の便宜上、第１の保護パイプ２０の詳細な説明については割愛する。
【００２９】
図２〜図４を参照して、第２の保護パイプ２１について説明する。本実施形態の第２の保護パイプ２１は、金属パイプに置き換えられる強度を有する特徴と、金属パイプに比較して軽量である特徴と、車体２に取り付けられたワイヤハーネスへの取り付けが容易である特徴とを有することから、こうした特徴についても併せて説明する。
【００３０】
図２に示すように、第２の保護パイプ２１は、樹脂材料２２にセルロースナノファイバ２３を添加したものを射出成形により形成したパイプである。
図２（ａ）に示す樹脂材料２２は、射出成形に用いることができる樹脂材料である。例えば、樹脂材料は、ポリプロピレン（ＰＰ）、ポリエチレン（ＰＥ）、ポリ塩化ビニル（ＰＶＣ）等の熱可塑性樹脂である。なお従来、樹脂材料２２のみからなる保護パイプは、自動二輪車１の振動、環境、又は熱等に対して信頼性や耐久性が十分ではないおそれがあった。
【００３１】
図２（ｂ）に示すセルロースナノファイバ２３は、樹木や草等の植物細胞壁の骨格を構成する有機物質であって、植物繊維を化学的、機械的にナノメートルの大きさまで細かくほぐすことで得られる繊維である。例えば、セルロースナノファイバ２３は、繊維の幅が１ナノメートル以上かつ１０００ナノメートル以下であり、繊維の長さが同繊維の幅の１００倍以上である。例えば、繊維の幅が１ナノメートルであれば繊維の長さは１００ナノメートル以上、同様に、繊維の幅が１０００ナノメートルであれば繊維の長さは１００マイクロメートル以上である。セルロースナノファイバ２３は、密度が鉄鋼の約１／５であり、強度は同鉄鋼の約５倍であって、いわゆる軽くて強い。また、セルロースナノファイバ２３は、大きな比表面積を有する。また、セルロースナノファイバ２３は、熱膨張がガラスの約１／５０であり、熱による変形が小さい。また、セルロースナノファイバ２３は、植物由来であるから、資源の持続性があるとともに、環境負荷が小さい。
【００３２】
図３には、樹脂材料２２にセルロースナノファイバ２３が添加されて形成された樹脂である添加樹脂２５の部分拡大図を示す。本実施形態では、第１及び第２の保護パイプ２０，２１は、添加樹脂２５により構成されている。
【００３３】
添加樹脂２５は、添加樹脂２５の全質量の中に１０〜１５質量％のセルロースナノファイバ２３が添加されている。これにより、添加樹脂２５は、樹脂材料２２の特性に加えて、添加されたセルロースナノファイバ２３の特性を有する樹脂として得られる。例えば、添加樹脂２５は、ＰＥからなる樹脂材料２２に比べて、軽く（例えば質量を８〜１２％削減）、強く（例えば２〜４倍の強度）、熱膨張（例えば２０％程度）が小さい。また、添加樹脂２５は、樹脂材料２２と同様に射出成形による製品化が可能である。
【００３４】
また、添加樹脂２５は、樹脂材料２２中におけるセルロースナノファイバ２３の配向が一定方向に支配的になるように成形されている。ここで、セルロースナノファイバ２３の配向は、セルロースナノファイバ２３の長さ方向の向きであり、一定方向は、第２の保護パイプ２１の長さ方向に沿う方向である。また、一定方向に支配的とは、一定方向への配向を有するセルロースナノファイバ２３の割合が高い、例えば割合が５０％以上であることをいう。セルロースナノファイバ２３の配向は、疎水化処理したセルロースナノファイバ２３と樹脂材料とを混ぜ合わせ、これを射出成形する。こうして成形された添加樹脂２５は、セルロースナノファイバ２３の配向が樹脂の射出された方向に向く。つまり、パイプが射出形成されるとき、パイプの長尺方向にセルロースナノファイバ２３の配向が向くようになる。セルロースナノファイバ２３の特性は、その長さ方向に強く発現することから、このように、配向が揃えられることで、セルロースナノファイバ２３の特性の発現を、配向の揃う方向には大きくするようにし、逆に、配向の揃わない方向には抑えめにするように調整することができる。
【００３５】
図４を参照して、第２の保護パイプ２１の一部もしくは全部を構成する保護樹脂パイプ３０についてその詳細を説明する。
保護樹脂パイプ３０は、車体２に配索された第２のワイヤハーネスＬ２の外周に取り付けられる長尺の樹脂製パイプである。
【００３６】
保護樹脂パイプ３０は、表面がアルミニウム等の導電性材料でコーティングされている。コーティングには導電性材料として、アルミニウム、金、クロム、すずの金属や、金属酸化物を用いてもよい。表面は、外部に露出している面であって、外面、内面、外側と内側の間にある側面、その他の面を含む。保護樹脂パイプ３０は、ＣＶＤ（化学蒸着）によって成膜された金属層によりコーティングされている。ＣＶＤによるコーティングは、ＰＶＤ（物理蒸着）によるコーティングに比較して、基材への付着力が強いため、角部や突起等へ強く接触するおそれがある自動二輪車１の部品のコーティングに適している。このコーティングによって保護樹脂パイプ３０は、電磁遮蔽効果、いわゆるシールド効果を有する。例えば、第２のワイヤハーネスを流れる高圧の３相交流電流から生じる電磁ノイズをＥＭＣ対策として求められるレベルまで遮蔽することができるシールド効果を有する。
【００３７】
図４（ａ）に示すように、保護樹脂パイプ３０は、所定の長さを有する半円筒状の部材である第１の半円筒状部材３１と、第１の半円筒状部材３１と同様の長さを有する半円筒状の部材であって、第１の半円筒状部材３１の内側に嵌合される第２の半円筒状部材３２とを備える。
【００３８】
図４（ｂ）に示すように、第１の半円筒状部材３１は、円弧の中心から円周方向に１８０°以上、かつ、３６０°未満の角度範囲に周壁を有し、この周壁を長尺方向（図４（ａ）において左右方向）に延設させている形状である。換言すると、円弧の中心から円周方向に１８０°未満、かつ、０°より大きい角度範囲に開口を有し、この開口を長尺方向に延設させている形状である。第１の半円筒状部材３１の周壁の角度範囲は、円弧の中心に対して１８０°以上、かつ、３６０°未満であるが、好ましくは２４０°以上、かつ、２６０°以下である。
【００３９】
第２の半円筒状部材３２は、第１の半円筒状部材３１と同様に、円弧の中心から円周方向に１８０°以上、かつ、３６０°未満の角度範囲に周壁を有し、この周壁を長尺方向に延設させている形状である。換言すると、円弧の中心から円周方向に１８０°未満、かつ、０°より大きい角度範囲に開口を有し、この開口を長尺方向に延設させている形状である。第２の半円筒状部材３２の周壁の角度範囲は、円弧の中心に対して１８０°以上、かつ、３６０°未満であるが、好ましくは２４０°以上、かつ、２６０°以下である。
【００４０】
第１の半円筒状部材３１は、外周面３１ａと内周面３１ｂとを有している。第２の半円筒状部材３２は、外周面３２ａと内周面３２ｂとを有している。そして、第１の半円筒状部材３１の内周面３１ｂと第２の半円筒状部材３２の外周面３２ａとが所定の力で当接するようになっている。つまり、嵌め合わされた状態では、第１の半円筒状部材３１の内径と第２の半円筒状部材３２の外径とが同じであって、内周面３１ｂと外周面３２ａとが当接している。
【００４１】
こうした構造により、保護樹脂パイプ３０は、第１の半円筒状部材３１の円弧内で第２の半円筒状部材３２を周方向に回動させることによって、第１の半円筒状部材３１の開口を第２の半円筒状部材３２で開放及び閉鎖することが可能になっている。
【００４２】
第１及び第２の半円筒状部材３１，３２は、樹脂であることから、円弧を拡縮する方向に弾性を有する。第１及び第２の半円筒状部材３１，３２は、長尺方向にセルロースナノファイバ２３の配向が向いていることから、反対に、周方向には配向が向いていない。よって、周方向は、セルロースナノファイバ２３の特性の発揮が小さいことから、樹脂の弾性力が好適に発揮されるようになる。つまり、周方向に必要とされる樹脂の特性が、周方向に選択的に発揮される。
【００４３】
つまり、第１の半円筒状部材３１の円弧を拡大させて第２の半円筒状部材３２を嵌め込んだ場合、円弧を縮径させる弾性力で第１の半円筒状部材３１がその内周面３１ｂを第２の半円筒状部材３２の外周面３２ａに押圧する。逆に、第２の半円筒状部材３２の円弧を縮小させて第１の半円筒状部材３１に嵌め込んだ場合、円弧を拡径させる弾性力で第２の半円筒状部材３２がその外周面３２ａを第１の半円筒状部材３１の内周面３１ｂに押圧する。こうして、嵌合された第１及び第２の半円筒状部材３１，３２は、ワイヤハーネスへ取り付けるとき、開口を開放させることが可能であるとともに、取り付けた後には、開口を閉鎖した状態を維持可能である。なお、開口の閉鎖後は、第１及び第２の半円筒状部材３１，３２の相対位置関係がずれないように固定するようにしてもよい。固定は、２つの部材に予め形成された爪を噛み合わせるロックでも、２つの部材にねじを貫通させるロック等でもよい。また、第１及び第２の半円筒状部材３１，３２は、金属コーティングされた内周面３１ｂと外周面３２ａとを電気的に接続させる。この電気的な接続が、各円弧の弾性力によって好適に維持される。
【００４４】
本実施形態の保護樹脂パイプ３０をワイヤハーネスへの取り付ける場合について説明する。
一般にワイヤハーネスは、車体２のフレームに沿いつつも、該フレームに取り付けられている各部材を迂回しながら、可能な限り最短距離で配索される。なかでも自動二輪車１は、車体２のフレームが小さいことから、ワイヤハーネスの配索経路の自由度が低く、また、配索経路に狭い部分を生じやすい。従来、ワイヤハーネスは、金属製の保護パイプに挿通された（先通しした）後、配索経路に配索されるため、配索経路には、ワイヤハーネスの配索が可能であることに加えて、組み付け中に曲げることのできない保護パイプが設置できる必要がある。また、曲げられない保護パイプの設置は手間でもある。また、金属の保護パイプの曲げ加工上の制約がワイヤハーネスの配索経路の自由度を制約することにもなる。
【００４５】
まず、本実施形態ではワイヤハーネスは、保護樹脂パイプ３０に挿通されないままで自動二輪車１の車体２に配索される。そして、車体２にワイヤハーネスが配索されると、保護樹脂パイプ３０は、第２の半円筒状部材３２を周方向に回動させて第１の半円筒状部材３１の開口を開放させるとともに、その開放した開口を通じてワイヤハーネスを周内に配置させる。ワイヤハーネスの配置後、第２の半円筒状部材３２が周方向に回動されて第１の半円筒状部材３１の開口が閉鎖される。これにより、車体２に配索された後のワイヤハーネスであっても、保護樹脂パイプ３０を取り付ける（後付けする）ことができる。
【００４６】
また、保護樹脂パイプ３０は、自動二輪車１の車体外部に取り付けるときに求められる高を有する。また、保護樹脂パイプ３０は、配索の余地が小さい自動二輪車１において、配索される高温となる部分に対する耐熱性を有する。また、保護樹脂パイプ３０は、自動二輪車１において直接、間接にさらされる風雨に対する耐候性も有する。
【００４７】
以上説明したように、本実施形態によれば、以下の効果を奏することができる。
（１）樹脂やグラスファイバ、カーボンファイバよりも質量の小さいセルロースナノファイバ２３が添加されることにより、ワイヤハーネス保護用樹脂パイプとしての保護樹脂パイプ３０の軽量化が図られる。また、樹脂や鉄鋼よりも高強度のセルロースナノファイバ２３が添加されることにより、激しい振動が避けられない自動二輪車１の各ワイヤハーネスＬ１，Ｌ２の保護にも耐えられる強度が備えられる。とりわけ、セルロースナノファイバ２３の配向方向の強度は高くなるから、保護樹脂パイプ３０への長さ方向に交差する方向へ加わる力に対してより一層の強化が図られるようになる。
【００４８】
また、金属パイプに比べて、保護樹脂パイプ３０はその形状の自由度が高いため、各ワイヤハーネスＬ１，Ｌ２の配索に係る制約を軽減することができる。
（２）嵌め合わせられている２つの第１の半円筒状部材３１及び第２の半円筒状部材３２を周方向に摺動させて保護樹脂パイプ３０の側面を開口させ、この開口から保護樹脂パイプ３０に各ワイヤハーネスＬ１，Ｌ２を容易に挿通させることができる。これにより、両端が固定されていたり、加工されていたりするワイヤハーネスＬ１，Ｌ２であれ、そのワイヤハーネスＬ１，Ｌ２の周りに保護樹脂パイプ３０を設置することができるようになる。例えば、自動車の組み立てにおいて、車体に取り付け済みの各ワイヤハーネスＬ１，Ｌ２に対して保護樹脂パイプ３０を取り付けることができて、当該各ワイヤハーネスＬ１，Ｌ２の保護が図られる。
【００４９】
また、セルロースナノファイバ２３の配向が長さ方向であるため、配向方向ではない周方向には柔軟性が適度に維持され、嵌合される２つの第１の半円筒状部材３１及び第２の半円筒状部材３２の位置関係を維持可能であり、かつ、摺動可能である適度な弾性力が得られる。つまり、保護樹脂パイプ３０は、高い強度を有しつつも、ワイヤハーネスの配索にかかる労力を極力抑えることができる。
【００５０】
（３）アルミニウムのコーティングによって電磁遮蔽効果が得られるようになる。これによっても、この保護樹脂パイプ３０を金属パイプに変えて利用することもできるようになる。また、化学蒸着であれば、自動車で生じる激しい振動にともなう角部や突起等への接触に対してもコーティングが維持される。
【００５１】
（４）また、保護樹脂パイプ３０は表裏両面がアルミニウムのコーティングされている。そこで、保護樹脂パイプ３０が外壁の周回で重なりを有している２つの第１の半円筒状部材３１及び第２の半円筒状部材３２であっても、周壁が重なる部分においてコーティングされた面同士が接触するようになり、保護樹脂パイプ３０の周の切れ目においてもとして電磁遮蔽効果が維持されるようになる。
【００５２】
（５）セルロースナノファイバの添加されていない樹脂パイプに比べて、この保護樹脂パイプ３０の強度を２〜４倍、熱変形量を２０％程度、質量を８〜１２％削減することができるようになる。
【００５３】
（６）この保護樹脂パイプ３０は、従来の樹脂パイプの採用は困難であった、高い耐熱性、耐候性、強度が要求される自動二輪車１の外装に用いることができる。また、軽量化が強く求められる自動二輪車１において、保護樹脂パイプ３０の軽量化を図ることができる。さらに、車体２のフレームが小型で配索が複雑になりがちな自動二輪車１に対して保護樹脂パイプ３０の後付が可能となり、自動二輪車１の製造工程にかかる手間を軽減させることができる。
【００５４】
（その他の実施形態）
なお、上記実施形態は、これを適宜変更した以下の形態にて実施することもできる。
・上記実施形態では、保護樹脂パイプ３０を第２のワイヤハーネスＬ２等に後付けする場合について例示が、これに限らず、保護樹脂パイプをワイヤハーネスに先通させてもよい。これにより、組み立て自由度の向上が図られるようになる。
【００５５】
・上記実施形態では、保護樹脂パイプ３０を第１のワイヤハーネスＬ１と第２のワイヤハーネスＬ２とに取り付ける場合について例示した。しかしこれに限らず、保護樹脂パイプを、信号線や通信線など、その他のワイヤハーネスに取り付けてもよい。
【００５６】
・上記実施形態では、樹脂材料２２に対して１０〜１５質量％の添加量でセルロースナノファイバ２３が添加されている場合について例示した。しかしこれに限らず、セルロースナノファイバの添加量は、特性上の必要に応じて、１０質量％未満にしてもよいし、１５質量％よりも多くしてもよい。
【００５７】
・上記実施形態では、保護樹脂パイプ３０の両面にアルミニウム等の導電性材料でコーティングされている場合について例示した。しかしこれに限らず、周方向を電磁的に封鎖することができるのであれば、両面のうち、シールドに必要とされる部分だけがコーティングされていてもよい。
【００５８】
・上記実施形態では、保護樹脂パイプ３０の表面がアルミニウム等の導電性材料でコーティングされている場合について例示した。しかしこれに限らず、保護樹脂パイプの表面が導電性材料でコーティングされていなくてもよい。コーティングされていないとしても、シールド効果以外の効果が得られる。
【００５９】
・上記実施形態では、保護樹脂パイプ３０が第１及び第２の半円筒状部材３１，３２が嵌め合わされて構成される場合について例示した。しかしこれに限らず、周壁に開口を設けることができるのであれば、保護樹脂パイプは、外壁が周回するとともに、その周回方向の一方側の端辺が同周回方向の他方側の外壁に重なっていてもよい。つまり、周壁が３６０°よりも大きい角度でワイヤハーネスを取り巻くものでもよい。
【００６０】
図５（ａ），（ｂ）に示すように、保護樹脂パイプ４０は、長尺の部材であって、周方向が外壁４１の外面４１ａで囲われていてもよい。また、その外壁４１の周回方向の一方側の内面４１ｂに同周回方向の他方側の外壁４２の外面４２ａが重なっていてもよい。よって、重なりを一時的に開くことで、保護樹脂パイプ４０にワイヤハーネスを挿通させることができる。
【００６１】
これによっても、両端が固定されていたり、加工されていたりするワイヤハーネスであれ、そのワイヤハーネスの周りに保護樹脂パイプ４０を設置することができるようになる。例えば、自動車の組み立てにおいて、車体に取り付け済みのワイヤハーネスに対して樹脂パイプを取り付けることができて、当該ワイヤハーネスの保護が図られる。
【００６２】
また、セルロースナノファイバの配向が長さ方向であるため、配向方向ではない周方向には柔軟性が適度に維持され、樹脂パイプの重なりを開くときに要する力が適度な弾性力に調整される。つまり、樹脂パイプは、高い強度を有しつつも、ワイヤハーネスの配索にかかる労力を極力抑えることができる。
【００６３】
・上記実施形態では、保護樹脂パイプ４０の断面は円形状である場合について例示したが、これに限らず、外壁の周回方向の一方側の内面に同周回方向の他方側の外壁の外面が重なっているのであれば、保護樹脂パイプの断面は、楕円形状や多角形状であってもよい。
【００６４】
・上記実施形態では、保護樹脂パイプ３０が第１及び第２の半円筒状部材３１，３２から構成される場合について例示した。しかしこれに限らず、保護樹脂パイプが円筒の管であってもよい。この場合、保護樹脂パイプの周壁にワイヤハーネスの入口がないため、ワイヤハーネスは保護樹脂パイプに先通しされてから車体に取り付けられることとなるが、保護樹脂パイプとしては、金属よりも軽量化が図られる。また、樹脂パイプであることから、形状の自由度が高く、ワイヤハーネスの配索の自由度も向上するようになる。
【００６５】
・上記実施形態では、セルロースナノファイバ２３と標記したが、セルロースナノフィブリルやフィブリレーティドセルロース等と標記してもよい。
・上記実施形態では、ワイヤハーネス保護用樹脂パイプが自動二輪車１に用いられる場合について例示したが、これに限らず、四輪の乗用車等を含む自動車に用いてもよい。
【符号の説明】
【００６６】
１…自動二輪車、２…車体、３…前輪、４…後輪、５…ステアリング、１０…電動モータ、１１…電池、１２…駆動制御装置、２０…第１の保護パイプ、２１…第２の保護パイプ、２２…樹脂材料、２３…セルロースナノファイバ、２５…添加樹脂、３０…保護樹脂パイプ、３１…第１の半円筒状部材、３２…第２の半円筒状部材、４０…保護樹脂パイプ、４１，４２…外壁、Ｅ…グランド線、Ｌ１…第１のワイヤハーネス、Ｌ２…第２のワイヤハーネス、Ｌ１１ｍ，Ｌ１１ｐ，Ｌ１２Ｕ，Ｌ１２Ｖ，Ｌ１２Ｗ…配線。
【図１】
2018011406.tif 000003
【図２】
2018011406.tif 000004
【図３】
2018011406.tif 000005
【図４】
2018011406.tif 000006
【図５】
2018011406.tif 000007